(57)【要約】【課題】胴部のインピーダンスに基づき内臓脂肪量を測定するにあたり、インピーダンスのばらつきを抑制することができる内臓脂肪量測定装置を提供する。【解決手段】内臓脂肪量測定装置は、電流供給用電極対と、一対の測定用電極３Ａ，３Ｂを有する測定用電極対３とを有する。また内臓脂肪量測定装置は、各測定用電極３Ａ，３Ｂの間に発生する電位差に基づき胴部のインピーダンスを算出するインピーダンス算出部と、皮下脂肪値を測定する皮下脂肪測定部４とを備える。さらに内臓脂肪測定装置は、インピーダンスと皮下脂肪値とに基づいて内臓脂肪量を算出する内臓脂肪量算出部と、各測定用電極３Ａ，３Ｂ及び皮下脂肪測定部４が設けられ、胴部の体表面に装着される支持部２０とを備える。支持部２０が胴部の体表面に装着された際に、各測定用電極３Ａ，３Ｂ及び皮下脂肪測定部４のうち少なくとも一つは、胴部の体表面の形状に沿って移動する。【選択図】図３
2015213639.tif 000002
【特許請求の範囲】
【請求項１】
一対の電流供給用電極を有し、被測定者の胴部の体表面にその胴部を挟んで配置される電流供給用電極対と、
一対の測定用電極を有し、前記胴部の体表面であって前記各電流供給用電極の間に配置される測定用電極対と、
前記各測定用電極の間の電位差に基づき前記胴部のインピーダンスを算出するインピーダンス算出部と、
前記胴部の皮下脂肪に関する皮下脂肪値を測定する皮下脂肪測定部と、
前記インピーダンス算出部によって算出されたインピーダンスと前記皮下脂肪測定部によって測定された皮下脂肪値とに基づいて、内臓脂肪量を算出する内臓脂肪量算出部と、
前記測定用電極対及び前記皮下脂肪測定部が設けられ、前記胴部の体表面に装着される支持部と、を備えるとともに、
前記支持部が前記胴部の体表面に装着された際に、前記各測定用電極及び前記皮下脂肪測定部のうち少なくとも一つが、前記胴部の体表面の形状に沿って移動する内臓脂肪量測定装置。
【請求項２】
前記皮下脂肪測定部は前記支持部に固定され、前記各測定用電極は前記支持部に対して移動可能に支持される
請求項１に記載の内臓脂肪量測定装置。
【請求項３】
前記各測定用電極は前記支持部に固定され、前記皮下脂肪測定部は前記支持部に対して移動可能に支持される
請求項１に記載の内臓脂肪量測定装置。
【請求項４】
前記支持部には、前記胴部に巻かれる装着体が取り付けられている
請求項１〜３のいずれか１項に記載の内臓脂肪量測定装置。
【請求項５】
前記被測定者の腹囲を、前記被測定者に巻き付けられた前記装着体の長さに基づき測定する腹囲測定部を備え、
前記内臓脂肪量算出部は、前記腹囲を用いて内臓脂肪量を算出する
請求項４に記載の内臓脂肪量測定装置。
【請求項６】
前記装着体の張力を調整する張力制御部を備える
請求項４又は５に記載の内臓脂肪量測定装置。
【請求項７】
前記各測定用電極及び前記皮下脂肪測定部の少なくとも一つに設けられ、前記被測定者の体表面への押圧力を測定する押圧力測定部を備える
請求項１〜６のいずれか１項に記載の内臓脂肪量測定装置。
【請求項８】
前記押圧力測定部により測定された押圧力が予め設定された適切範囲内であるか否かを判断し、前記押圧力が前記適切範囲内であるときに前記測定用電極対及び前記皮下脂肪測定部による測定を開始させる押圧力算出部を備える
請求項７に記載の内臓脂肪量測定装置。
【請求項９】
前記押圧力測定部による押圧力の測定結果を報知する報知部を備える
請求項７又は８に記載の内臓脂肪量測定装置。
【発明の詳細な説明】
【技術分野】
【０００１】
本発明は、被測定者の内臓脂肪量を測定する内臓脂肪量測定装置に関する。
【背景技術】
【０００２】
生体内に蓄積される脂肪は、蓄積される部位によって皮下脂肪と内臓脂肪とに大別される。最近の研究によって、内臓脂肪の蓄積は、高血圧、高脂血病、糖尿病等といった疾病の誘発因子となることが判明している。このため、内臓脂肪量をコントロールすることの重要性が認識されてきている。
【０００３】
内臓脂肪量を測定する装置としては、Ｘ線ＣＴ（Computed Tomography）やＭＲＩ（Magnetic Resonance Imaging）等といったものがある。しかし、これらの装置は高価且つ大型であるため、一般人が健康管理のために日常的に使用するのには適していない。
【０００４】
また、両手間や両足間の電気インピーダンスを測定し、身長、体重、年齢等の情報から体脂肪を算出する体脂肪体重計も市販されている。但し、これらは身体全体の総脂肪量を推定するもので、皮下脂肪と内臓脂肪を分離して測定することはできない。
【０００５】
一方で、内臓脂肪量をインピーダンス法により直接的に測定する装置が提案されている（例えば、特許文献１参照）。この装置は、内臓脂肪が蓄積される腹腔内心部の電気抵抗が、筋肉等の他組織に比べ大きいことを利用するものである。腹腔内心部の電気抵抗が大きいのは、脂肪の電気抵抗が、筋肉等の他組織の電気抵抗に比べ大きいことによる。
【０００６】
この装置は、対となった電流供給用電極、及び対となった測定用電極を有している。各電流供給用電極は、被測定者の胴部外周上であって胴部を挟んで略対向する位置にそれぞれ配置される。また測定用電極は、各電流供給用電極の略中間に相当する胴部外周上にそれぞれ配置される。そして電流供給用電極から高周波電流を供給し測定用電極の間の電位差に基づき内臓脂肪量を算出する。
【０００７】
この装置は、従来の体脂肪体重計と比較して、内臓脂肪に起因するインピーダンスを直接的に測定しているため、算出される内臓脂肪量の精度が高い。しかしながら、胴部の皮下脂肪のつき方は個人差が大きく、例えば前腹に偏在していたり、側腹部に偏在していたりする。このため、実際には同じ内臓脂肪量が被測定者の胴部に蓄積されていたとしても、皮下脂肪厚が相違すると、異なる電位差が測定される。
【０００８】
このような問題に対し、皮下脂肪厚を測定する皮下脂肪厚測定手段を有する装置も提案されている（例えば、特許文献２参照）。この装置は、皮下脂肪厚測定手段によって測定された皮下脂肪厚を用いて、インピーダンス法により算出された内臓脂肪量を補正する。
【０００９】
皮下脂肪厚測定手段は、測定用電極対が固定された基板に設けられることによって、胴部への装着が容易になる。
【先行技術文献】
【特許文献】
【００１０】
【特許文献１】特許第３３９６６７２号公報
【特許文献２】特許第４７２３９９０号公報
【発明の概要】
【発明が解決しようとする課題】
【００１１】
ところが、皮下脂肪測定部及び電極測定用電極を基板に固定する構成では、装着時に皮下脂肪測定部及び測定用電極の両方が同じように胴部に押し当てられる。その際、装着の仕方や胴部の形状等によっては、測定用電極が体表面へ強く押し付けられることがある。この場合、測定用電極間の電位差が大きく変動することから、電位差に基づき算出されるインピーダンスのばらつきも大きくなってしまう。
【００１２】
本発明の目的は、胴部のインピーダンスに基づき内臓脂肪量を測定するにあたり、インピーダンスのばらつきを抑制することができる内臓脂肪量測定装置を提供することにある。
【課題を解決するための手段】
【００１３】
内臓脂肪量測定装置の独立した一形態によれば、一対の電流供給用電極を有し、被測定者の胴部の体表面にその胴部を挟んで配置される電流供給用電極対と、一対の測定用電極を有し、前記胴部の体表面であって前記各電流供給用電極の間に配置される測定用電極対と、前記各測定用電極の間の電位差に基づき前記胴部のインピーダンスを算出するインピーダンス算出部と、前記胴部の皮下脂肪に関する皮下脂肪値を測定する皮下脂肪測定部と、前記インピーダンス算出部によって算出されたインピーダンスと前記皮下脂肪測定部によって測定された皮下脂肪値とに基づいて、内臓脂肪量を算出する内臓脂肪量算出部と、前記測定用電極対及び前記皮下脂肪測定部が設けられ、前記胴部の体表面に装着される支持部と、を備えるとともに、前記支持部が前記胴部の体表面に装着された際に、前記各測定用電極及び前記皮下脂肪測定部のうち少なくとも一つが、前記胴部の体表面の形状に沿って移動する。
【発明の効果】
【００１４】
内臓脂肪量測定装置は、インピーダンスのばらつきを抑制することができる。
【図面の簡単な説明】
【００１５】
【図１】第１の実施形態の内臓脂肪量測定装置の全体的な構成を示す模式図。
【図２】同実施形態における測定ユニットの斜視図。
【図３】同実施形態における測定ユニットの平面図であって、（ａ）は測定用電極が最小突出位置に配置された状態、（ｂ）は最大突出位置に配置された状態を示す。
【図４】測定時の胴部断面における等電位線の分布を示す模式図。
【図５】胴部に加わる圧力とインピーダンスのばらつきとの関係を示すグラフ。
【図６】（ａ）は従来の測定ユニットを体表面に装着したときの胴部断面の模式図、（ｂ）は同実施形態の測定ユニットを装着したときの胴部断面の模式図。
【図７】第２の実施形態の内臓脂肪量測定装置の一部を示す平面図。
【図８】第３の実施形態の内臓脂肪量測定装置の一部を示す平面図。
【図９】同実施形態の測定ユニットの正面図。
【図１０】同実施形態の内臓脂肪量測定装置の全体的な構成を示す模式図。
【図１１】同実施形態における表示装置の正面図。
【図１２】第４の実施形態の内臓脂肪量測定装置の一部を示す斜視図。
【図１３】第５の実施形態の内臓脂肪量測定装置の一部を示す斜視図。
【図１４】変形例の測定ユニットの平面図。
【図１５】変形例の測定ユニットの平面図であって、（ａ）及び（ｂ）は測定用電極が固定された態様、（ｃ）は測定用電極が可動である態様を示す。
【図１６】変形例の測定ユニットの平面図。
【図１７】変形例の測定ユニットの平面図。
【図１８】変形例の測定ユニットの平面図。
【図１９】変形例の測定ユニットの平面図。
【図２０】変形例の測定ユニットの平面図。
【発明を実施するための形態】
【００１６】
（内臓脂肪量測定装置が取り得る形態の一例）
〔１〕内臓脂肪量測定装置の独立した一形態によれば、一対の電流供給用電極を有し、被測定者の胴部の体表面にその胴部を挟んで配置される電流供給用電極対と、一対の測定用電極を有し、前記胴部の体表面であって前記各電流供給用電極の間に配置される測定用電極対と、前記各測定用電極の間の電位差に基づき前記胴部のインピーダンスを算出するインピーダンス算出部と、前記胴部の皮下脂肪に関する皮下脂肪値を測定する皮下脂肪測定部と、前記インピーダンス算出部によって算出されたインピーダンスと前記皮下脂肪測定部によって測定された皮下脂肪値とに基づいて、内臓脂肪量を算出する内臓脂肪量算出部と、前記測定用電極対及び前記皮下脂肪測定部が設けられ、前記胴部の体表面に装着される支持部と、を備えるとともに、前記支持部が前記胴部の体表面に装着された際に、前記各測定用電極及び前記皮下脂肪測定部のうち少なくとも一つが、前記胴部の体表面の形状に沿って移動する。
【００１７】
本内臓脂肪量測定装置によれば、支持部を被測定者の胴部に装着した際、測定用電極の各々及び皮下脂肪測定部のうち少なくとも一つが、体表面の形状に合わせて移動される。このため、測定時において、体表面への押圧力が低減される。その結果、体表面の押圧による電位差への影響を低減することができるので、電位差に基づき算出されるインピーダンスのばらつきを抑制することができる。
【００１８】
〔２〕内臓脂肪量測定装置に従属する一形態によれば、前記皮下脂肪測定部は前記支持部に固定され、前記各測定用電極は前記支持部に対して移動可能に支持される。
本内臓脂肪量測定装置によれば、皮下脂肪測定部を皮下脂肪値が精度よく測定される状態で装着するとともに各測定用電極を体表面に密着させつつ、各測定用電極による体表面への押圧力を低減することができる。
【００１９】
〔３〕内臓脂肪量測定装置に従属する一形態によれば、前記測定用電極の各々は前記支持部に固定され、前記皮下脂肪測定部は前記支持部に対して移動可能に支持される。
本内臓脂肪量測定装置によれば、皮下脂肪測定部を皮下脂肪値が精度よく測定される状態で装着するとともに各測定用電極を体表面に密着させつつ、各測定用電極による体表面への押圧力を低減することができる。
【００２０】
〔４〕内臓脂肪量測定装置に従属する一形態によれば、前記支持部には、前記胴部に巻かれる装着体が取り付けられている。
本内臓脂肪量測定装置によれば、胴部に装着体を巻くことで、測定用電極及び皮下脂肪測定部を体表面に装着することができる。このため、被測定者自身でも、測定用電極及び皮下脂肪測定部を簡単に装着することができる。
【００２１】
〔５〕内臓脂肪量測定装置に従属する一形態によれば、前記被測定者の腹囲を、前記被測定者に巻き付けられた前記装着体の長さに基づき測定する腹囲測定部を備え、前記内臓脂肪量算出部は、前記腹囲を用いて内臓脂肪量を算出する。
【００２２】
本内臓脂肪量測定装置によれば、装着体を被測定者に巻き付けて測定用電極及び皮下脂肪測定部を装着したときに、腹囲を測定することができる。またその腹囲を、内臓脂肪量の算出に用いることができる。このため、算出される内臓脂肪量の精度を高めることができる。
【００２３】
〔６〕内臓脂肪量測定装置に従属する一形態によれば、前記装着体による前記胴部への締め付け力を調整する張力制御部を備える。
本内臓脂肪量測定装置によれば、装着体の締め付け力が調整される。このため、体表面への押圧力を適切な状態にして測定を行うことができる。
【００２４】
〔７〕内臓脂肪量測定装置に従属する一形態によれば、前記各測定用電極及び前記皮下脂肪測定部の少なくとも一つに設けられ、前記被測定者の体表面への押圧力を測定する押圧力測定部を備える。
【００２５】
本内臓脂肪量測定装置によれば、測定用電極及び皮下脂肪測定部の少なくとも一つには、押圧力測定部が設けられる。このため、この押圧力測定部により測定された押圧力を用いることによって、測定用電極及び皮下脂肪測定部による体表面への押圧力が調整されやすくなる。
【００２６】
〔８〕内臓脂肪量測定装置に従属する一形態によれば、前記押圧力測定部により測定された押圧力が予め設定された適切範囲内であるか否かを判断し、前記押圧力が前記適切範囲内であるときに前記測定用電極対及び前記皮下脂肪測定部による測定を開始させる押圧力算出部を備える。
【００２７】
本内臓脂肪量測定装置によれば、体表面への押圧力が適切範囲内であるときのみ測定が開始される。即ち、体表面への押圧力が適切範囲外であるときには測定が開始されないので、電圧に基づき算出されるインピーダンスのばらつきが抑制される。
【００２８】
〔９〕内臓脂肪量測定装置に従属する一形態によれば、前記押圧力測定部による押圧力の測定結果を報知する報知部を備える。
本内臓脂肪量測定装置によれば、押圧力の測定の結果が被測定者等に報知されるので、被測定者等は、例えば押圧力の過不足を把握することができる。このため、体表面への押圧力を適切に調整した状態での測定が促される。
【００２９】
（第１の実施形態）
図１を参照して、内臓脂肪量測定装置の概略構成について説明する。
内臓脂肪量測定装置１は、電流供給用電極対２を備えている。電流供給用電極対２は、一対の電流供給用電極２Ａ，２Ｂを有する。
【００３０】
一対の電流供給用電極２Ａ，２Ｂは、被測定者の胴部１０１の体表面にそれぞれ配置される。例えば、一対の電流供給用電極２Ａ，２Ｂは、胴部１０１を挟んで略対向する位置にそれぞれ配置される。
【００３１】
一対の電流供給用電極２Ａ，２Ｂは、胴部１０１に横断的に電流を流せる位置にそれぞれ配置される。内臓脂肪量を測定する精度の観点からは、例えば各電流供給用電極２Ａ，２Ｂを、背中周辺及び腹部周辺に配置することが好ましい。或いは、一対の電流供給用電極２Ａ，２Ｂは、両脇腹部に配置することもできる。
【００３２】
電流供給用電極２Ａ，２Ｂは、定電流回路１３に接続されている。定電流回路１３は、電流供給用電極２Ａ，２Ｂに一定の微小電流を供給する。定電流回路１３は、直流電源及び交流電源のいずれを備えていてもよい。
【００３３】
また、内臓脂肪量測定装置１は、測定ユニット１０を備えている。測定ユニット１０は、支持部２０と、測定用電極対３と、皮下脂肪測定部４とを備えている。測定用電極対３及び皮下脂肪測定部４は、支持部２０に支持されている。
【００３４】
測定用電極対３は、一対の測定用電極３Ａ，３Ｂを有する。測定用電極３Ａ，３Ｂは、支持部２０のうち胴部１０１と向かい合う正面２０Ａ側に電極板２１が配置された状態で支持部２０に支持されている。また、測定用電極３Ａ，３Ｂは、それらの間の距離を、胴部１０１の外周の長さに比べ十分に小さくして支持部２０に支持されている。
【００３５】
測定ユニット１０は、測定用電極対３が、胴部１０１の外周上であって、各電流供給用電極２Ａ，２Ｂの略中間に位置するように装着される。また、測定ユニット１０は、各測定用電極３Ａ，３Ｂが、各電流供給用電極２Ａ，２Ｂを最短距離で結ぶ方向（Ｘ方向）と直交する直線Ｌを挟んだ両側に配置されるように装着される。例えば、測定ユニット１０は、各電流供給用電極２Ａ，２Ｂが、被測定者の背中及び腹部に配置された際に、脇腹部に配置される。
【００３６】
この測定用電極３Ａ，３Ｂは、電圧測定回路１２に接続されている。電圧測定回路１２は、測定用電極３Ａ，３Ｂの間の電位差である電圧を測定する。
電圧測定回路１２は、インピーダンス算出部としてのインピーダンス算出回路１４に接続され、測定した電圧値をインピーダンス算出回路１４に出力する。インピーダンス算出回路１４は、電圧測定回路１２から入力した電圧値と、電流供給用電極２Ａ，２Ｂの間に流れる電流値とに基づいて、インピーダンスを算出する。
【００３７】
皮下脂肪測定部４は、被測定者の胴部１０１の外周上に配置されて、皮下脂肪値としての皮下脂肪厚を測定する。皮下脂肪厚を測定するのは、以下の理由による。
即ち、胴部１０１内には、最も外側に皮下脂肪１０２が存在し、皮下脂肪１０２の内側に筋肉１０３が存在する。さらに筋肉１０３の内側に内臓脂肪１０４が蓄積されている。
【００３８】
しかし、皮下脂肪のつき方には個人差があり、前腹部に皮下脂肪１０２が多く蓄積される場合や、側腹部に皮下脂肪１０２が多く蓄積される場合がある。皮下脂肪１０２の厚さが相違すると、同じ条件でも測定用電極３Ａ，３Ｂの間の電位差も変化する。このため、仮に同じ内臓脂肪量を実際に有する被測定者であっても、皮下脂肪厚が相違すれば、測定されるインピーダンスが異なる可能性がある。
【００３９】
このため、皮下脂肪測定部４を測定用電極３Ａ，３Ｂの近傍に配置することによって、測定用電極３Ａ，３Ｂの間の電位差に影響する皮下脂肪厚を測定する。また、インピーダンスとともに皮下脂肪厚を用いて最終的に内臓脂肪量を算出するので、内臓脂肪量の精度を高めることができる。
【００４０】
この皮下脂肪測定部４は、光学式の測定装置であって、所定の波長域の測定光を胴部１０１の体表面に向かって照射し、反射光の光量を検出する装置である。皮下脂肪測定部４は、皮下脂肪厚測定回路１１に接続されている。
【００４１】
皮下脂肪測定部４から胴部１０１に向けて照射された測定光は、皮膚を通過して皮下脂肪１０２で散乱する。散乱した光の一部は、反射光となり、皮膚を通過して皮下脂肪測定部４で検出される。散乱した光のうち他の部分は、皮下脂肪よりも内側の筋肉１０３で吸収される。
【００４２】
被測定者の皮下脂肪が薄い場合は、皮下脂肪１０２による散乱も少ないため、反射光となって皮下脂肪測定部４に検出される光は少ない。一方、皮下脂肪１０２が厚い場合は、光の散乱が多くなり、皮下脂肪測定部４に到達する光は多くなる。
【００４３】
皮下脂肪測定部４は、反射光の光量に応じた信号を皮下脂肪厚測定回路１１に出力する。皮下脂肪厚測定回路１１は、皮下脂肪測定部４から入力した信号に基づき皮下脂肪厚Ｔを算出する。皮下脂肪厚測定回路１１は、皮下脂肪厚Ｔに応じた信号を、内臓脂肪量算出部としての内臓脂肪量算出回路１５に出力する。
【００４４】
内臓脂肪量算出回路１５は、皮下脂肪厚測定回路１１から信号を入力するとともに、インピーダンス算出回路１４からインピーダンス値に応じた信号を入力する。内臓脂肪量算出回路１５は、入力したインピーダンス及び皮下脂肪厚を用いて内臓脂肪量を算出する。
【００４５】
内臓脂肪量算出回路１５は、内臓脂肪量Ｍを、例えば下記の式（１）を用いて算出することができる。なお、「Ｚ」は、インピーダンス算出回路１４によって算出されたインピーダンスであり、「Ｔ」は皮下脂肪厚測定回路１１によって測定された皮下脂肪厚である。なお、α，βは係数である。
【００４６】
Ｍ＝α・Ｚ＋β・・・（１）
これらの係数α、βのうち少なくとも一方は、皮下脂肪厚Ｔによって補正される。これにより、皮下脂肪の相違による影響分を補正することができる。例えば、係数α、βの各々は、以下の式（２）〜（３）のように補正することができる。なお、γ、δ、ε、ζはいずれも係数である。
【００４７】
α＝γ・Ｔ＋δ・・・（２）
β＝ε・Ｔ＋ζ・・・（３）
内臓脂肪量算出回路１５は、内臓脂肪量を算出すると、内臓脂肪量に応じた信号を表示装置３０に出力する。表示装置３０は、例えば、内臓脂肪量算出回路１５から入力した信号に基づき、内臓脂肪量に応じた値等を表示するフラットパネルディスプレイからなる。
【００４８】
次に、測定ユニット１０の構成について詳述する。
図２に示すように、支持部２０の正面２０Ａには、上述した一方の測定用電極３Ａ、皮下脂肪測定部４、他方の測定用電極３Ｂが順番に並べて配置されている。測定用電極３Ａ，３Ｂは、同じ構成を有する。
【００４９】
また支持部２０は、正面２０Ａからみて長方形の形状をなしている。支持部２０は、測定用電極３Ａ，３Ｂが設けられた両端が正面２０Ａ側に、皮下脂肪測定部４が設けられた中央部が背面２０Ｂ側になるかたちで湾曲している。圧力が加わらない状態での支持部２０の曲率は、人体の胴部における曲率の平均に近い値に設定されている。支持部２０は、弾性を有し、被測定者の胴部１０１の形状に沿って弾性変形させることが可能である。
【００５０】
皮下脂肪測定部４は、光照射部５と、光検出部６と、これらを収容したベース７とを備えている。ベース７は、各測定用電極３Ａ，３Ｂの間に設けられている。光照射部５は、胴部１０１の体表面に向けて測定光を照射する。光照射部５としては、例えば赤外線を照射する赤外線発光素子を用いることができる。光検出部６は、胴部１０１の皮下脂肪１０２によって反射された反射光の光量を検出するセンサである。
【００５１】
図３（ａ）に示すように、測定用電極３Ａ，３Ｂは、正面からみて矩形状の電極板２１をそれぞれ備えている。また、測定用電極３Ａ，３Ｂの各々には、一対の脚部２２がそれぞれ設けられている。脚部２２は、棒状の小径部２４と、大径部２５とを備えている。小径部２４は、支持部２０に貫通形成された挿通孔２３に挿通されている。小径部２４は、例えば挿通孔２３の内面を摺動可能な外径を有することが好ましい。また、小径部２４の一端は電極板２１に固定され、他端は大径部２５に固定されている。大径部２５は、支持部２０の背面２０Ｂ側に配置され、挿通孔２３の内径よりも大きい外径を有する。
【００５２】
測定用電極３Ａ，３Ｂは、電極板２１又は大径部２５が押圧されることにより、電極板２１が支持部２０の正面２０Ａに接近する方向及び離間する方向に移動する。換言すると、電極板２１の体表面に接触する表面２１Ａが、皮下脂肪測定部４の体表面に接触する表面４Ａに対して相対移動する。電極板２１が支持部２０の正面２０Ａに当接したとき、正面２０Ａからの電極板２１の突出量は最小となる。このときの測定用電極３Ａ，３Ｂの位置を最小突出位置という。最小突出位置では、電極板２１は、皮下脂肪測定部４の正面を通り支持部２０の正面２０Ａと平行な仮想面Ｓ１よりも、正面２０Ａ寄りに配置される。
【００５３】
図３（ｂ）に示すように、脚部２２の大径部２５が支持部２０の背面２０Ｂに当接したとき、支持部２０の正面２０Ａからの電極板２１の突出量は最大となる。このときの測定用電極３Ａ，３Ｂの位置を最大突出位置という。測定用電極３Ａ，３Ｂは、測定ユニット１０が胴部１０１に装着された際に、体表面の形状に沿って最大突出位置から最小突出位置までの間を移動することが可能である。このとき、電極板２１は、その表面２１Ａが、上記した仮想面Ｓ１よりも正面２０Ａ寄りとなる位置に配置されてもよいし、仮想面Ｓ１上に配置されてもよいし、仮想面Ｓ１よりも突出した位置に配置されてもよい。
【００５４】
次に、測定ユニット１０の作用について説明する。測定用電極３Ａ，３Ｂは、胴部１０１の体表面への押圧力が過剰であると、インピーダンス算出回路１４によって算出されるインピーダンスがばらつくことが、発明者の実験等を通じて判明している。
【００５５】
即ち図４に示すように、電流供給用電極２Ａ，２Ｂに定電流を供給したとき、皮下脂肪１０２、筋肉１０３及び内臓脂肪１０４を電流が流れ、胴部１０１内には電界が発生する。測定用電極３Ａ，３Ｂを体表面に強く押し付けてしまうと、体表面の形状が、外力が加えられていない自然状態の形状から大きく変化する。その結果、等電位線Ｌｑの密度等の分布が大きく変化し、測定用電極３Ａ，３Ｂの間の電位差の変化も大きくなる。
【００５６】
図５を参照して、体表面への押圧力を変化させたときのインピーダンスのばらつきを説明する。測定用電極３Ａ，３Ｂによる体表面への押圧力が大きくなるほど、電圧測定回路１２によって測定された電圧に基づくインピーダンスのばらつきも大きくなる。このため、測定用電極３Ａ，３Ｂの間の電位差を測定する際は、胴部１０１の体表面を、自然状態に可能な限り近づけることによって、自然状態の等電位線Ｌｑを崩さないように測定することが好ましい。
【００５７】
但し、測定用電極３Ａ，３Ｂの電極板２１の表面全体が胴部１０１に密着しないと、測定用電極３Ａ，３Ｂの電位差が適切に測定できない。また、皮下脂肪測定部４は光学式の測定装置であるため、測定光が漏れないように胴部１０１に密着させて測定する必要がある。即ち、光学式の皮下脂肪測定部４は、測定用電極３Ａ，３Ｂに比べ、胴部１０１に強く当てる必要がある。
【００５８】
従って、皮下脂肪厚及びインピーダンスの両方の精度を高く維持しながら、インピーダンスのばらつきを抑制するには、電極板２１を体表面に密着させつつも体表面への押圧力を低減することが好ましい。
【００５９】
図６（ａ）に示すように、従来の測定ユニット２００では、測定用電極２０１，２０２が支持部２０４に固定されている。このため、皮下脂肪測定部２０３から測定光が漏れないように測定ユニット２００を胴部１０１に押し付けたとき、測定用電極２０１，２０２による体表面への押圧力が、皮下脂肪測定部２０３による押圧力を超えて大きくなることがあった。
【００６０】
測定用電極２０１，２０２による体表面への押圧力が、皮下脂肪測定部２０３による押圧力を超えないように、測定用電極２０１，２０２を支持部２０４寄りに設けることも考えられる。しかし、この場合には、測定用電極２０１，２０２と体表面との密着度が不足する可能性がある。
【００６１】
図６（ｂ）に示すように、上述した構成の測定ユニット１０は、電極板２１が支持部２０の正面２０Ａの接近する方向及び離間する方向に移動可能である。換言すると、電極板２１の正面と、支持部２０の正面２０Ａ及び皮下脂肪測定部４の正面とを相対移動させることが可能である。
【００６２】
従って、皮下脂肪測定部４から測定光が漏れないように測定ユニット１０を胴部１０１に装着した際、測定用電極３Ａ，３Ｂは、胴部１０１に当接し、体表面への押圧力を逃がすように移動することが可能である。また、測定用電極３Ａ，３Ｂは、それぞれ独立して移動するため、体表面の形状に合わせて支持部２０の正面２０Ａからの突出量を相違させることもできる。その結果、電極板２１を体表面に密着させつつ、体表面への押圧力が最小となるように測定用電極３Ａ，３Ｂを配置することができるため、胴部１０１の電界における等電位線Ｌｑの分布の変化を極力抑制することができる。このため、電圧測定回路１２によって測定された電圧に基づくインピーダンスのばらつきが抑制される。また、インピーダンスの測定における再現性も高められる。
【００６３】
次に、内臓脂肪量測定装置１の動作について、測定の手順とともに説明する。
まず、電流供給用電極２Ａ，２Ｂを、被測定者の胴部１０１を挟んで略対向する位置に装着する。
【００６４】
また測定ユニット１０を、胴部１０１の外周であって、電流供給用電極２Ａ，２Ｂの略中間の位置に配置する。この際、測定ユニット１０は、例えば被測定者又は他の測定者が手等で押さえる。
【００６５】
測定ユニット１０を胴部１０１に装着する際、皮下脂肪測定部４から測定光が漏れないように測定ユニット１０を胴部１０１に押し付ける。このとき、例えば赤外光が被測定者等によって視認されないように測定ユニット１０を装着する。
【００６６】
測定用電極３Ａ，３Ｂの電極板２１は、胴部１０１の体表面に当接することによって支持部２０の正面２０Ａに接近する方向に移動する。或いは、電極板２１と胴部１０１とが密着していない場合には、手で測定用電極３Ａ，３Ｂの脚部２２を押して、電極板２１を支持部２０の正面２０Ａから離間する方向に移動させる。
【００６７】
電流供給用電極２Ａ，２Ｂ及び測定ユニット１０を胴部１０１に装着すると、被測定者等による所定の操作によって測定が開始される。測定が開始されると、まず皮下脂肪厚測定回路１１によって、皮下脂肪測定部４の光照射部５及び光検出部６が駆動される。
【００６８】
光照射部５から赤外線等の測定光が照射されると、測定光は、皮膚を通過し皮下脂肪によって散乱する。散乱した光の一部は反射光となって、光検出部６に受光される。
皮下脂肪厚測定回路１１は、光検出部６から反射光の光量に応じた信号を入力し、この信号に基づいて皮下脂肪厚を算出する。皮下脂肪厚を算出すると、皮下脂肪厚測定回路１１は、内臓脂肪量算出回路１５に、皮下脂肪厚に応じた信号を出力する。皮下脂肪厚に応じた信号を出力すると、皮下脂肪厚測定回路１１は、光照射部５及び光検出部６の駆動を停止する。
【００６９】
また皮下脂肪厚測定回路１１、又は皮下脂肪厚を示す信号を入力した内臓脂肪量算出回路１５は、定電流回路１３を駆動して、電流供給用電極２Ａ，２Ｂに定電流を供給する。電圧測定回路１２は、測定用電極３Ａ，３Ｂの電位差を電圧として検知する。電圧測定回路１２は、電圧を検知すると、その電圧の大きさに応じた信号をインピーダンス算出回路１４に出力する。
【００７０】
インピーダンス算出回路１４は、電圧の大きさに応じた信号に基づきインピーダンスを算出する。さらにインピーダンスの大きさに応じた信号を内臓脂肪量算出回路１５に出力する。
【００７１】
内臓脂肪量算出回路１５は、皮下脂肪厚に応じた信号及びインピーダンスに応じた信号に基づき、上述したように内臓脂肪量を算出する。そして内臓脂肪量算出回路１５は、内臓脂肪量を示す値を表示装置３０に出力する。
【００７２】
内臓脂肪量測定装置は、以下の効果を有する。
（１）測定ユニット１０を被測定者の胴部１０１に装着した際、各測定用電極３Ａ，３Ｂが、体表面の形状に合わせて移動される。このため、皮下脂肪測定部４からの測定光の漏れを抑制し、各測定用電極３Ａ，３Ｂを体表面へ密着させつつ、体表面への押圧力を低減することができる。その結果、体表面への押圧による測定用電極３Ａ，３Ｂの間の電位差への影響を低減することができる。従って、皮下脂肪厚の精度及び電圧に基づき算出されるインピーダンスの精度を高く維持しつつ、インピーダンスのばらつきを抑制することができる。
【００７３】
（第２の実施形態）
本実施形態の内臓脂肪量測定装置は、第１の実施形態の内臓脂肪量測定装置と比較して次の部分において異なる構成を有し、その他の部分において同一の構成を有する。即ち、内臓脂肪量測定装置は、測定ユニットを胴部に装着するための装着体を備える。なお、第２の実施形態の内臓脂肪量測定装置の説明は、第１の実施形態の内臓脂肪量測定装置と共通する構成に対して、第１の実施形態の内臓脂肪量測定装置と同一の符号を付している。
【００７４】
図７に示すように、測定ユニット１０は、帯状の装着体４０を備えている。装着体４０は、支持部２０の背面２０Ｂの中央に設けられた被装着部４１に挿通されている。
装着体４０の両端には、両端を連結する連結部（図示略）がそれぞれ設けられている。これらの連結部を互いに連結することによって、装着体４０を胴部１０１に装着することができる。また装着体４０は、装着時に、測定用電極３Ａ，３Ｂの脚部２２に接触しない位置に設けられている。
【００７５】
測定ユニット１０は、装着体４０を胴部１０１に装着することにより、支持部２０の正面２０Ａを体表面に向けた状態で胴部１０１に装着される。このため、被測定者が一人で装着する際も、測定ユニット１０を装着しやすい。
【００７６】
本実施形態の内臓脂肪量測定装置は、第１の実施形態の（１）の効果が得られるとともに、さらに以下の効果が得られるようになる。
（２）胴部１０１に装着体４０を巻くことで、測定用電極３Ａ，３Ｂ及び皮下脂肪測定部４を体表面に装着することができる。このため、被測定者自身でも、測定用電極３Ａ，３Ｂ及び皮下脂肪測定部４を簡単に装着することができる。
【００７７】
（第３の実施形態）
本実施形態の内臓脂肪量測定装置は、第１の実施形態の内臓脂肪量測定装置と比較して次の部分において異なる構成を有し、その他の部分において同一の構成を有する。即ち、内臓脂肪量測定装置は、押圧測定部を備える点で第１の実施形態の内臓脂肪量測定装置と異なる。なお、第３の実施形態の内臓脂肪量測定装置の説明は、第１の実施形態の内臓脂肪量測定装置と共通する構成に対して、第１の実施形態の内臓脂肪量測定装置と同一の符号を付している。
【００７８】
図８に示すように、測定ユニット１０の皮下脂肪測定部４は、その正面側に、押圧力測定部５０を備えている。押圧力測定部５０は、胴部１０１からの反発力に応じて変形するひずみゲージや、感圧導電性シート等の押圧力を測定できるセンサである。
【００７９】
図９に示すように、押圧力測定部５０は、光照射部５と光検出部６との間に設けられている。
図１０に示すように、装着体４０には、電流供給用電極２Ａ，２Ｂも装着されている。例えば測定ユニット１０が装着体４０に固定されている場合、電流供給用電極２Ａ，２Ｂを移動可能に装着体４０に設けることによって、測定ユニット１０及び電流供給用電極２Ａ，２Ｂの相対位置を調整することができる。また、測定ユニット１０が装着体４０に移動可能に支持されている場合、電流供給用電極２Ａ，２Ｂを装着体４０に固定してもよい。
【００８０】
押圧力測定部５０は、押圧力算出部としての押圧力測定回路５１に接続されている。押圧力測定部５０は、胴部１０１からの反発力に応じた信号を押圧力測定回路５１に出力する。押圧力測定部５０は、反発力に応じた信号に基づき、皮下脂肪測定部４が胴部１０１を押圧する押圧力の大きさを算出する。
【００８１】
さらに押圧力測定回路５１は、押圧力の大きさを、予め設定された適切範囲の上限値と比較する。なお、この適切範囲は、皮下脂肪測定部４により測定される皮下脂肪厚の精度、インピーダンス算出回路１４により算出されるインピーダンスの精度が好適な範囲に維持されるときの押圧力の範囲を、実験等を通じて求めたものである。皮下脂肪測定部４から測定光の漏れが無く、電極板２１が体表面に密着しつつ押圧力が低減される状態で測定ユニット１０が装着されたとき、押圧力測定回路５１により検知された押圧力は、適切範囲内となる。
【００８２】
押圧力の大きさが適切範囲内である場合には、押圧力測定回路５１は、皮下脂肪厚測定回路１１に、測定の開始を指示する信号を出力する。また、押圧力測定回路５１は、表示装置３０に、押圧力の大きさが適切であることを示す信号を出力する。
【００８３】
押圧力の大きさが適切範囲を超える場合、又は押圧力の大きさが適切な範囲を下回る場合には、押圧力測定回路５１は、定電流回路１３の駆動を停止する信号を出力する。このため、押圧力の大きさが適切範囲内になった後に、適切範囲外となった場合には測定が一時停止される。
【００８４】
さらに押圧力の大きさが適切範囲を超える場合、押圧力測定回路５１は、押圧力の過剰を示す信号を表示装置３０に出力する。また押圧力が適切な範囲を下回る場合、押圧力測定回路５１は、押圧力の不足を示す信号を表示装置３０に出力する。
【００８５】
図１１に示すように、表示装置３０には、各種情報を表示する画面３５の他、報知部としての第１〜第３のランプ３１〜３３が設けられている。表示装置３０は、押圧力の不足を示す信号を入力すると、第１のランプ３１を点灯させる。第１のランプ３１の点灯によって、測定が困難であることを報知し、装着体４０の締め付けを強めることが促される。
【００８６】
表示装置３０は、押圧力が適切範囲内であることを示す信号を入力すると、押圧力が適切であり測定可能な状態であることを報知する第２のランプ３２を点灯させる。また、表示装置３０は、押圧力の過剰を示す信号を入力すると、第３のランプ３３を点灯させる。この第３のランプ３３の点灯によって、測定が困難であることを報知し、装着体４０を緩めることが促される。
【００８７】
本実施形態の内臓脂肪量測定装置は、第１の実施形態の（１）の効果が得られるとともに、さらに以下の効果が得られるようになる。
（３）皮下脂肪測定部４には、押圧力測定部５０が設けられる。このため、この押圧力測定部５０により測定された押圧力に基づき測定が行われることによって、各測定用電極３Ａ，３Ｂ及び皮下脂肪測定部４による体表面への押圧力が適切な範囲に調整されやすくなる。
【００８８】
（４）押圧力測定回路５１は、押圧力の測定の結果を、表示装置３０に出力する。このため、被測定者等は、押圧力の過不足を把握することができる。このため、体表面への押圧力を適切な範囲にした状態での測定が促される。
【００８９】
（第４の実施形態）
本実施形態の内臓脂肪量測定装置は、第１の実施形態の内臓脂肪量測定装置と比較して次の部分において異なる構成を有し、その他の部分において同一の構成を有する。即ち、内臓脂肪量測定装置は、腹囲測定部を備える点で第１の実施形態の内臓脂肪量測定装置と異なる。なお、第４の実施形態の内臓脂肪量測定装置の説明は、第１の実施形態の内臓脂肪量測定装置と共通する構成に対して、第１の実施形態の内臓脂肪量測定装置と同一の符号を付している。
【００９０】
図１２に示すように、支持部２０に挿通される装着体４０は、その両端に第１の連結部６１及び第２の連結部６２を備えている。第１の連結部６１及び第２の連結部６２との間には、伸縮部材６３が設けられている。即ち、第１の連結部６１、第２の連結部６２及び伸縮部材６３により、装着体４０は環状をなす。
【００９１】
第１の連結部６１又は第２の連結部６２は、伸縮部材６３を巻き取り可能及び延出可能な構成を有する。例えば伸縮部材６３は、第１の連結部６１と第２の連結部６２とを接近させることにより、第１の連結部６１に巻き取られる。また、伸縮部材６３は、第１の連結部６１と第２の連結部６２とを引き離すことにより、第１の連結部６１から引き延ばされる。
【００９２】
また、第１の連結部６１は、腹囲測定部６５を備える。腹囲測定部６５は、第１の連結部６１からの伸縮部材６３の引出量を検知する。腹囲測定部６５は、伸縮部材６３の移動を検知するエンコーダや、伸縮部材６３のリール回転角度を検知するロータリーポテンショメータ等を有する。
【００９３】
腹囲測定部６５は、装着体４０が胴部１０１に巻き付けられた際、伸縮部材６３の引出量と装着体４０の帯状部４２とを加算して、胴部１０１の外周の長さである腹囲を算出する。腹囲測定部６５は、腹囲を算出すると、腹囲に応じた信号を内臓脂肪量算出回路１５に出力する。
【００９４】
内臓脂肪量算出回路１５は、皮下脂肪厚及びインピーダンスとともに、腹囲に基づき、内臓脂肪量を算出する。例えば、腹囲を用いて皮下脂肪厚を補正してもよく、インピーダンスを補正してもよい。例えば、上述した式（１）の係数α、βのうち、皮下脂肪厚Ｔによって補正しなかったいずれか一方の係数を腹囲から求めてもよい。また、式（２），（３）の係数γ、δ、ε、ζのうちいずれか一つ又は複数の係数を腹囲から求めてもよい。なお、同じ皮下脂肪厚Ｔであっても腹囲が小さいほど内臓脂肪量Ｍへの影響度が大きく、腹囲が大きいほど内臓脂肪量Ｍへの影響度が小さいため、例えば、式（２），（３）の係数γ、εは腹囲と逆相関するような値にして補正してもよい。
【００９５】
本実施形態の内臓脂肪量測定装置は、第１の実施形態の（１）の効果が得られるとともに、さらに以下の効果が得られるようになる。
（５）装着体４０を被測定者の胴部に巻き付けることによって、測定用電極３Ａ，３Ｂ及び皮下脂肪測定部４を装着すると同時に腹囲を測定することができる。またその腹囲を、内臓脂肪量の算出に用いることができる。このため、算出される内臓脂肪量の精度を高めることができる。
【００９６】
（第５の実施形態）
本実施形態の内臓脂肪量測定装置は、第１の実施形態の内臓脂肪量測定装置と比較して次の部分において異なる構成を有し、その他の部分において同一の構成を有する。即ち、内臓脂肪量測定装置は、装着体の張力を調整する張力制御部を備える点で第１の実施形態の内臓脂肪量測定装置と異なる。なお、第５の実施形態の内臓脂肪量測定装置の説明は、第１の実施形態の内臓脂肪量測定装置と共通する構成に対して、第１の実施形態の内臓脂肪量測定装置と同一の符号を付している。
【００９７】
図１３に示すように、支持部２０に挿通される装着体４０は、その両端に、雄部材７１及び雌部材７２からなるバックル７０を備えている。雄部材７１及び雌部材７２は、互いに連結可能な構造を有している。
【００９８】
雄部材７１は、張力制御部７３を備えている。張力制御部７３は、胴部１０１に巻かれた装着体４０の長さを調整する。張力制御部７３は、例えば引き出された装着体４０の張力を調整するプーリやバネ等からなる。なお、張力制御部７３は、雌部材７２に設けられていてもよい。
【００９９】
装着体４０を胴部１０１に巻き、雄部材７１及び雌部材７２を連結すると、張力制御部７３により装着体４０の帯状部４２の長さが調整されるとともに、張力が所定の張力に調整される。その結果、皮下脂肪測定部４が体表面に密着するとともに、測定用電極３Ａ，３Ｂが体表面に沿って移動する。また、張力制御部７３は、押圧力測定部によって測定された測定用電極３Ａ，３Ｂ又は皮下脂肪測定部４による体表面への押圧力に応じて、帯状部４２の張力を自動的に制御することもできる。
【０１００】
本実施形態の内臓脂肪量測定装置は、第１の実施形態の（１）の効果が得られるとともに、さらに以下の効果が得られるようになる。
（６）装着体４０は、装着体４０の帯状部分の締め付け力を調整する張力制御部７３を備える。このため、各測定用電極３Ａ，３Ｂ及び皮下脂肪測定部４による体表面への押圧力を適切な範囲にした状態での測定を行うことができる。
【０１０１】
（変形例）
内臓脂肪量測定装置が取り得る具体的な形態は、上記各実施形態に例示された形態に限定されない。内臓脂肪量測定装置は、本発明の目的が達成される範囲において、上記各実施形態とは異なる各種の形態を取り得る。以下に示される上記実施形態の変形例は、内臓脂肪量測定装置が取り得る各種の形態の一例である。
【０１０２】
・内臓脂肪量測定装置は、複数の測定用電極対３を備えていてもよい。この場合であっても、一対の電流供給用電極２Ａ，２Ｂの間に、測定用電極対３を配置する。
・図１４に示すように、支持部２０は、湾曲形状ではなく、平らであってもよい。この構成であっても支持部２０が弾性を有していれば、被測定者の胴部１０１に沿わせて弾性変形させることが可能である。このため、皮下脂肪測定部４及び測定用電極３Ａ，３Ｂの体表面への押圧力を適切な範囲にすることができる。
【０１０３】
・図１５に示すように、支持部２０は、相対移動する複数の分割支持部から構成されていてもよい。例えば図１５（ａ）に示すように、支持部２０を、測定用電極３Ａが設けられた第１の分割支持部２０Ｄ、皮下脂肪測定部４が設けられた第２の分割支持部２０Ｅ、測定用電極３Ｂが設けられた第３の分割支持部２０Ｆから構成してもよい。第１〜第３の分割支持部２０Ｄ〜２０Ｆは、スライド構造等により相対移動可能に連結されている。この構成によれば、図１５（ｂ）に示すように、第１の分割支持部２０Ｄ及び第３の分割支持部２０Ｆを背面側に移動させて、測定用電極３Ａ，３Ｂによる体表面への押圧力を逃がすこともできる。さらにこの構成において、図１５（ｃ）に示すように、第１の分割支持部２０Ｄに設けられた測定用電極３Ａと、第３の分割支持部２０Ｆに設けられた測定用電極３Ｂとに脚部２２を設けてもよい。この構成により、測定用電極３Ａ，３Ｂが各分割支持部２０Ｄ，２０Ｆの正面に対し相対移動可能となる。
【０１０４】
・図１６及び図１７に示すように、皮下脂肪測定部４が、支持部２０の正面２０Ａに対して接近する方向及び離間する方向に移動可能な構成を有していてもよい。例えば図１６に示すように皮下脂肪測定部４は、ベース７を支持する台座８０と、台座８０に設けられた挿通部８１と、挿通部８１に設けられた抜け防止部８２を備える。挿通部８１は、支持部２０に形成された挿通孔８３に支持される。一方、測定用電極３Ａ，３Ｂは支持部２０に固定される。また、図１７に示すように、皮下脂肪測定部４は、ベース７を支持する台座８０と、台座８０及び支持部２０の間に介在するバネ８４とを備えていてもよい。バネ８４は、台座８０を支持部２０から離間する方向に付勢する。これらの構成であっても、皮下脂肪測定部４を測定用電極３Ａ，３Ｂよりも突出させることによって、測定用電極３Ａ，３Ｂによる体表面への押圧力を適切な範囲にしつつ、皮下脂肪測定部４を測定光が漏れない程度に体表面に密着させることができる。
【０１０５】
・図１８に示すように、測定用電極３Ａ，３Ｂの正面側に導電性のゲルシート８５を設けてもよい。この構成によれば、胴部１０１の体表面への押圧力を高めることなく、測定用電極３Ａ，３Ｂと体表面との密着性を高めることができる。また、体表面との接触抵抗が低減され、電位差を安定して測定することができる。
【０１０６】
・図１９に示すように、皮下脂肪測定部４を移動可能に支持部２０に支持した上で、押圧力測定部５０を、皮下脂肪測定部４の背面側に設けてもよい。そして、背面側に移動した皮下脂肪測定部４に押圧力測定部５０が押圧されることによって、皮下脂肪測定部４による体表面への押圧力を測定してもよい。
【０１０７】
・図２０に示すように、押圧力測定部５０は、皮下脂肪測定部４だけでなく、測定用電極３Ａ，３Ｂに設けられてもよい。また、皮下脂肪測定部４に押圧力測定部５０を設けず、測定用電極３Ａ，３Ｂのみに設けてもよい。
【０１０８】
・支持部２０を、皮下脂肪測定部４が設けられた領域、各測定用電極３Ａ，３Ｂが設けられた各領域に３分割し、各測定用電極３Ａ，３Ｂが設けられた分割支持部をゴム等の弾性部材から構成してもよい。この構成によれば、各測定用電極３Ａ，３Ｂに脚部２２を設けなくても、皮下脂肪測定部４を体表面に当てつつ、各測定用電極３Ａ，３Ｂによる体表面への押圧力を低減することができる。
【０１０９】
・上記各実施形態では、内臓脂肪量を被測定者等に報知する装置を、表示装置３０としたが、これを音声で報知する装置や、振動パターンで報知する装置に代えてもよい。
・皮下脂肪測定部４は、光学式以外の測定装置であってもよい。例えば、皮下脂肪測定部４として、超音波方式の測定装置、生体インピーダンス方式の測定装置を採用してもよい。
【０１１０】
・皮下脂肪測定部４は、皮下脂肪厚を測定する装置としたが、皮下脂肪量、皮下脂肪面積等、皮下脂肪の多さ及び少なさに関する情報を測定できる装置であればよい。
・各測定用電極３Ａ，３Ｂのうち一方のみが支持部２０に対して移動可能に支持されていてもよい。或いは、皮下脂肪測定部４と各測定用電極３Ａ，３Ｂのうち一方とが支持部２０に対して移動可能に支持されていてもよい。この構成であっても、従来の測定ユニットに比べ、皮下脂肪測定部４を胴部１０１の体表面に当てつつ、各測定用電極３Ａ，３Ｂによる体表面への押圧力を低減することができる。
【符号の説明】
【０１１１】
１…内臓脂肪量測定装置、２…電流供給用電極対、２Ａ，２Ｂ…電流供給用電極、３…測定用電極対、３Ａ，３Ｂ…測定用電極、４…皮下脂肪測定部、１４…インピーダンス算出回路、２０…支持部、３１〜３３…第１〜第３のランプ、４０…装着体、５０…押圧力測定部、５１…押圧力測定回路、６５…腹囲測定部、７３…張力制御部。
【図１】
2015213639.tif 000003
【図２】
2015213639.tif 000004
【図３】
2015213639.tif 000005
【図４】
2015213639.tif 000006
【図５】
2015213639.tif 000007
【図６】
2015213639.tif 000008
【図７】
2015213639.tif 000009
【図８】
2015213639.tif 000010
【図９】
2015213639.tif 000011
【図１０】
2015213639.tif 000012
【図１１】
2015213639.tif 000013
【図１２】
2015213639.tif 000014
【図１３】
2015213639.tif 000015
【図１４】
2015213639.tif 000016
【図１５】
2015213639.tif 000017
【図１６】
2015213639.tif 000018
【図１７】
2015213639.tif 000019
【図１８】
2015213639.tif 000020
【図１９】
2015213639.tif 000021
【図２０】
2015213639.tif 000022